(57)【要約】【課題】袋体からその内側に向けて設けられた手袋への水の浸入を抑える。【解決手段】バッグ１０は、内部空間及びその内部空間に通じる挿入口１５，１６を有する透明な袋体１１と、挿入口１５，１６から袋体１１の内側に向けて設けられる手袋２１，２２と、挿入口１５，１６から袋体１１の外側に向けて設けられるカバー２３，２４と、を備える。【選択図】図１
2019150259.tif 000002
【特許請求の範囲】
【請求項１】
内部空間及びその内部空間に通じる挿入口を有する透明な袋体と、
前記挿入口から前記袋体の内側に向けて設けられる手袋と、
前記挿入口から前記袋体の外側に向けて設けられたカバーと、を備えるバッグ。
【請求項２】
前記カバーが筒状に形成されている請求項１に記載のバッグ。
【請求項３】
前記カバーが可撓性を有する請求項１又は２に記載のバッグ。
【請求項４】
前記袋体の内面に設けられる第１の面ファスナと、
前記手袋に設けられ、前記第１の面ファスナに着脱可能な第２の面ファスナと、を更に備える請求項１から３の何れか一項に記載のバッグ。
【発明の詳細な説明】
【技術分野】
【０００１】
本発明は、バッグに関する。
【背景技術】
【０００２】
特許文献１には、透明なフィルム製の気密性の防水読書袋が開示されている。この防水読書袋には、手袋が防水読書袋の側面から内側に向けて突出するように設けられている。使用者が防水読書袋の外側から手袋に手を挿入して、防水読書袋内で書籍を持って、その書籍を読むことができる。
【先行技術文献】
【特許文献】
【０００３】
【特許文献１】実登３１７３１５４号公報
【発明の概要】
【発明が解決しようとする課題】
【０００４】
特許文献１に記載の技術では、水等が防水読書袋の外側から手袋の内側に浸入してしまう。水が手袋内に浸入した状態では、防水読書袋内の書籍を取り扱いにくい。
【０００５】
そこで、本発明は、上記事情に鑑みてなされたものである。その発明の目的は、袋体からその内側に向けて設けられた手袋への水の浸入を抑えることである。
【課題を解決するための手段】
【０００６】
以上の課題を解決するために、バッグが、内部空間及びその内部空間に通じる挿入口を有する透明な袋体と、前記挿入口から前記袋体の内側に向けて設けられる手袋と、前記挿入口から前記袋体の外側に向けて設けられたカバーと、を備える。
【０００７】
以上によれば、使用者が手を挿入口から手袋に挿入して、袋体内の収納物を使用することができる。
カバーが挿入口から袋体の外側に向けて設けられているため、水がカバーによって遮断される。そのため、水が挿入口を通じて手袋内に浸入することを防止できる。
【発明の効果】
【０００８】
本発明の実施形態によれば、手袋内への水の浸入を防止できる。
【図面の簡単な説明】
【０００９】
【図１】バッグの斜視図である。
【発明を実施するための形態】
【００１０】
以下、図面を参照して、本発明の実施形態について説明する。以下に述べる実施形態には、本発明を実施するために技術的に好ましい種々の限定が付されている。本発明の範囲を以下の実施形態及び図示例に限定するものではない。
【００１１】
図１は、バッグ１０の斜視図である。
バッグ１０は袋体１１、手袋２１，２２、カバー２３，２４、面ファスナ３１，３２，３３、肩ベルト４１，４２及び線ファスナ５１を備える。
【００１２】
バッグ１０はバックパックであり、左右一対の肩ベルト４１，４２が袋体１１の後面に設けられている。なお、肩ベルト４１，４２の代わりに肩提げベルト、手提げベルト又は腰ベルト等が袋体１１に設けられることによって、バッグ１０がショルダーバッグ、手提げバッグ又はウエストバッグであってもよい。更に、バッグ１０は、バックパック、ショルダーバッグ、手提げバッグ及びウエストバッグのうち２以上の機能を兼ね備えたマルチウェイバッグであってもよい。
【００１３】
袋体１１は、直方体型の袋状に形成されていて、内側の空間を有する。袋体１１の上面部１２の左、前及び右の縁部が開口しており、線ファスナ５１がその縁部に設けられ、線ファスナ５１によって開口が開閉される。袋体１１の上面部１２の左、前及び右の縁部に、線ファスナ５１を袋体１１の外側から覆う防水カバーが設けられることによって、線ファスナ５１が水除けされている。なお、線ファスナ５１が防水ファスナであってもよい。
【００１４】
袋体１１は柔軟性及び可撓性を有する。
袋体１１は防水性及び遮水性を有し、水が袋体１１を浸透しない。
袋体１１の一部又は全体が透明であり、袋体１１の外側から袋体１１の内側を視認することができる。
【００１５】
袋体１１の透明な部分は防曇加工されている。例えば、透明な部分が撥水性、特に超撥水性を有し、その透明な部分において水滴が大きく成長することによって防曇が実現される。或いは、透明な部分が親水性、特に超親水性を有し、その透明な部分に水膜が形成されることによって防曇が実現される。
【００１６】
袋体１１の左右側面部１３，１４には、手を挿入することができる挿入口１５，１６が形成されている。手袋２１，２２がそれぞれ挿入口１５，１６から袋体１１の内側に向けて設けられており、手袋２１，２２の履き口部がそれぞれ挿入口１５，１６の縁に固定されている。手袋２１，２２の履き口部と袋体１１との接続部が止水されている。また、手袋２１，２２の履き口部に枠体が設けられ、手袋２１，２２の履き口部が枠体によって開いた状態に保たれる。
【００１７】
手袋２１，２２の先端側の部位は親指用、人差し指用、中指用、薬指用及び小指用に５つに分枝している。手袋２１，２２の指先部が導電性を有し、指先部によって静電容量式のタッチパネルを操作することができる。なお、手袋２１，２２は、親指用とそれ以外の指用に２つに分枝したミトン型であってもよい。或いは、手袋２１，２２の先端側の部位が分枝していないものでもよい。
手袋２１は左右の手に兼用できる。手袋２２についても同様である。なお、手袋２１，２２のうち一方が右手用であり、他方が左手用であってもよい。
【００１８】
手袋２１，２２は樹脂又はゴムからなる。
手袋２１，２２は可撓性及び柔軟性を有するので、自重によって垂れ下がる。手袋２１，２２は伸縮性を有していてもよい。
手袋２１，２２は防水性及び遮水性を有し、水が手袋２１，２２を浸透しない。
【００１９】
手袋２１の掌部又は甲部の外面に面ファスナ３１が設けられている。同様に、手袋２２にも面ファスナ３２が設けられている。一方、袋体１１の内面、特に袋体１１の正面部１７の内側の面には、面ファスナ３３が設けられている。面ファスナ３１，３２と面ファスナ３３のうちの一方が多数のフック部を有し、他方が前記フック部に係合可能な多数のループ部を有する。そのため、面ファスナ３１，３２が面ファスナ３３に貼り付くことによって、手袋２１，２２が袋体１１の内面に固定される。なお、面ファスナ３３は、袋体１１の上面部１２、底面部１８又は背面部１９の内側の面に設けられていてもよい。
【００２０】
筒状のカバー２３，２４の一端の開口部がそれぞれ挿入口１５，１６の縁に固定されており、カバー２３，２４がそれぞれ挿入口１５，１６から袋体１１の外側に向けて設けられている。カバー２３，２４の一端の開口部と袋体１１との接続部が止水されている。
【００２１】
カバー２３の内側の空間と手袋２１の内側の空間は挿入口１５を介して通じており、カバー２４の内側の空間と手袋２２の内側の空間は挿入口１６を介して通じている。カバー２３，２４の他端の開口部は、袋体１１の外側において開いている。なお、カバー２３と手袋２１は一体形成されたものでもよいし、接合されたものでもよい。カバー２４と手袋２２についても同様である。
【００２２】
カバー２３，２４は樹脂又はゴムからなる。
カバー２３，２４は可撓性及び柔軟性を有するので、自重によって垂れ下がる。カバー２３，２４は伸縮性を有していてもよい。
カバー２３，２４は防水性及び遮水性を有し、水がカバー２３，２４を浸透しない。
カバー２３，２４の開口部に枠体２３ａ，２４ａが設けられ、カバー２３，２４の開口部が枠体２３ａ，２４ａによって開いた状態に保たれる。
【００２３】
続いて、バッグ１０の使用方法について説明する。
線ファスナ５１を開いて、各種の収納物（例えば、筆記具、ノート、紙、冊子、書籍、電子機器、測定器等）を袋体１１に収納する。そして、線ファスナ５１を閉じる。
【００２４】
両手をカバー２３，２４及び挿入口１５，１６に挿入して、袋体１１内にて手袋２１，２２を装着する。この際、袋体１１を胸の前に抱えて、肩ベルト４１，４２を両肩に掛けると良い。なお、片手のみに手袋２１，２２のどちらか一方に装着してもよい。また、バッグ１０を背負った者以外の者が両手又は片手に手袋２１，２２を装着してもよい。
【００２５】
面ファスナ３１，３２が面ファスナ３３に貼り付いている場合、手を面ファスナ３３から遠ざけ、面ファスナ３１，３２を面ファスナ３３から剥離する。
袋体１１の一部又は全体が透明であるので、袋体１１の内側を視認しながら袋体１１内の収納物を使用することができる。この際、手が濡れていても、手に付着した水が手袋２１，２２によって遮水されるので、収納物が濡れない。また、前腕がカバー２３，２４にカバーによって覆われているため、雨水等が挿入口１５，１６を通じて手袋２１，２２の内側に浸入しにくい。
【００２６】
手袋２１，２２から手を抜く前に、手を面ファスナ３３に近づけて、面ファスナ３１，３２を面ファスナ３３に貼り付ける。そうすると、手を手袋２１，２２、挿入口１５，１６及びカバー２３，２４から引き抜く際に、手袋２１，２２が裏返って挿入口１５，１６から袋体１１の外側に抜け出てしまうことを防止できる。
【００２７】
手をカバー２３，２４から抜くと、カバー２３，２４が自重によって垂れ下がる。そのため、挿入口１５，１６はそれぞれカバー２３，２４によって外側から覆われるとともに、カバー２３，２４が垂れ下がって、カバー２３，２４の開口部が下を向く。そのため、雨水等がカバー２３，２４及び手袋２１，２２内に浸入しにくい。
【００２８】
以上のようなバッグ１０は次のような有利な効果をもたらす。
袋体１１が透明である上、手袋２１，２２がそれぞれ挿入口１５，１６から袋体１１の内側に向けて設けられているため、収納物を袋体１１から出さずとも、収納物を使用することができる。それゆえ、収納物の紛失を抑制できる。また、降雨等の際、傘を差さずとも、収納物が濡れずに済む。そうすると、傘に気を取られずに済む上、空いた手で他の作業をできる。
【００２９】
濡れた手を手袋２１，２２に挿入しても、袋体１１内の収納物を濡らさずに使用することができる。
カバー２３，２４がそれぞれ挿入口１５，１６から袋体１１の外側に向けて設けられているため、水が挿入口１５，１６を通じて手袋２１，２２内に浸入しにくい。
【００３０】
枠体２３ａ，２４ａがカバー２３，２４の開口部に設けられているので、手をカバー２３，２４に出し入れしやすい。また、枠体が手袋２１，２２の履き口部に設けられているので、手を手袋２１，２２に出し入れしやすい。
手袋２１，２２及びカバー２３，２４が樹脂製である場合には、手がカバー２３，２４及び手袋２１，２２に対して滑りやすい。そのため、手の出し入れが容易である。
【００３１】
以上、本発明を実施するための形態について説明したが、上記実施形態は本発明の理解を容易にするためのものであり、本発明を限定して解釈するためのものではない。また、本発明はその趣旨を逸脱することなく変更、改良され得るとともに、本発明にはその等価物も含まれる。以上の実施形態からの変更点について以下に説明する。以下に述べる変更点は可能な限り組み合わせて適用してもよい。
【００３２】
以上の実施形態では、カバー２３が筒状であり、そのカバー２３の端部が挿入口１５の縁全体に亘って固定されている。それに対して、カバー２３が可撓性及び柔軟性のあるフラップであり、そのカバー２３の端部が挿入口１５の上縁に固定されていてもよい。カバー２４についても同様である。
【００３３】
手袋２２、カバー２４及び挿入口１６が設けられていなくてもよい。つまり、片手用として、片側の手袋２１、カバー２３及び挿入口１５が設けられるだけでもよい。
また、手袋２１，２２、カバー２３，２４及び挿入口１５，１６が袋体１１の上面部１２、底面部１８又は背面部１９に設けられていてもよい。
【００３４】
枠体２３ａ，２４ａが設けられていなくてもよい。この場合、手をカバー２３，２４から抜くと、カバー２３，２４の開口部が自重により下を向いて、小さく閉じる。
【符号の説明】
【００３５】
１０…バッグ
１１…袋体
１５，１６…挿入口
２１，２２…手袋
２３，２４…カバー
３１，３２，３３…面ファスナ
【図１】
2019150259.tif 000003